(57)【要約】【課題】撥水性被膜をスコアラインに付与することで、溝内の水はけを良好にしてバックスピン量の低下原因を一掃することのできるゴルフクラブを提供すること。【解決手段】ゴルフクラブヘッド１０のフェース面２０にスコアライン２１が設けられ、当該スコアライン２１の溝内にダイヤモンド状カーボン膜等からなる撥水性被膜２５がＣＶＤ法等により成膜されている。スコアライン２１内に入り込んだ水は、撥水性により、溝の外に排出され、ボール打撃時のバックスピン量の低下を抑制する。【選択図】図２
2015171475.tif 000002
【特許請求の範囲】
【請求項１】
ゴルフクラブヘッドのフェース面において、スコアラインの溝内のみに撥水性被膜を設けたことを特徴とするゴルフクラブ。
【請求項２】
前記撥水性被膜はダイヤモンド状カーボン膜であることを特徴とする請求項１記載のゴルフクラブ。
【発明の詳細な説明】
【技術分野】
【０００１】
本発明はゴルフクラブに係り、更に詳しくは、スコアラインに撥水性を付与したゴルフクラブに関する。
【背景技術】
【０００２】
ゴルフクラブヘッドのフェース面には、相互にほぼ平行となるスコアラインが形成されている。このスコアラインは、断面形状がＵ字状、Ｖ字状となる凹状の溝により形成されており、当該スコアラインによってボールにバックスピンをかけることができるようになっている。
従って、例えば、雨天でのプレーにおいて、スコアラインの溝内に水が入り込むと、水の表面張力によって溝内に水が留まった状態となり、打球時のボールに摩擦力を十分に付与できなくなって期待するバックスピン量を得ることができなくなり、着地したボールが予想外に転がってしまう、という不都合を招来する。
【０００３】
この場合、スコアラインの溝内に入り込んだ水を溝の外に排出できるような撥水処理を施せば、水による影響を受け難くすることができる。
このような撥水処理は、被処理面に撥水性材料からなる膜を形成することで行うことができる。撥水性を有する材料としては、例えば、ダイヤモンド状カーボン膜（ＤＬＣ）が存在しており、当該ダイヤモンド状カーボン膜をフェース面に施したゴルフクラブが知られている（例えば、特許文献１参照）。
【先行技術文献】
【特許文献】
【０００４】
【特許文献１】特開２００２−１４３３５３号公報
【発明の開示】
【発明が解決しようとする課題】
【０００５】
しかしながら、特許文献１に記載されたゴルフクラブは、フェース面の硬質化を達成するために、ダイヤモンド状カーボン膜をフェース面の一部又は全部に設ける、というだけのものであり、ダイヤモンド状カーボン膜が有する撥水性については何らの考察もなされていない。
【０００６】
本発明の目的は、スコアラインの溝内に水が入り込んだ場合であっても、その水はけを良好にしてバックスピンを期待通りに付与することのできるゴルフクラブを提供することにある。
【課題を解決するための手段】
【０００７】
前記目的を達成するため、本発明は、特許請求の範囲記載の構成を採用したものであり、具体的には、ゴルフクラブヘッドのフェース面において、スコアラインの溝内のみに撥水性被膜を設ける、という構成を採っている。
ここで、撥水性被膜としては、ダイヤモンド状カーボン膜を例示することができる。
【発明の効果】
【０００８】
本発明によれば、スコアラインの溝内に撥水性被膜を設けることで、水が溝内に留まることがなく、打撃時にボールが滑ってしまうような不都合を防止することができる。
従って、スコアラインによる本来のバックスピンをボールに付与することができるとともに、ボールの滑りに起因した飛球方向のばらつき等も回避可能となる。
【図面の簡単な説明】
【０００９】
【図１】ウッドタイプのゴルフクラブヘッドをフェース面側から見た正面図。
【図２】（Ａ）は図１のＡ−Ａ線断面図、（Ｂ）は図２（Ａ）のＢ部拡大図。
【発明を実施するための形態】
【００１０】
以下、本発明の実施の形態について図面を参照しながら説明する。なお、本明細書において、位置若しくは方向を示す用語は、特に明示しない限り、図１を基準として用いるものとする。従って、ヘッドについて、「上」はクラウン側、「下」はソール側、「左」はトウ側、「右」はヒール側となり、「前」は紙面直交方向の手前側となるフェース面側、「後」は同奥行側のバック側となる。
【００１１】
図１において、ゴルフクラブ１０は、ヘッド１１と、当該ヘッド１１の右側上部に位置するホーゼル部１２と、当該ホーゼル部１２に取り付けられたシャフト１３とを含む。ヘッド１１は、クラウン面１５、ソール面１６及びサイド面１７と、クラウン面１５及びソール面１６の前部を閉塞するフェース面２０とからなる。
【００１２】
前記フェース面２０の前面側には、図１中左側となるトウ側と、同図中右側となるヒール側との間に複数のスコアライン２１が形成されている。このスコアライン２１は、相互に略平行に延びているとともに、フェース面２０を部分的に凹ませた凹状をなし、概してＵ字状又はＶ字状の断面形状となる溝により構成されている。
スコアライン２１の溝内には、ダイヤモンド状カーボン膜等からなる撥水性被膜２５が、ＣＶＤ法（化学気相成長法）、ＰＶＤ法（物理気相成長法）などの一般的なＤＬＣ成膜法によって設けられる。スコアライン２１の溝内のみにＤＬＣを成膜する方法としては、スコアライン２１に対応するスリット状の隙間が形成されたマスキングシートをフェース面に貼付し、その状態でＣＶＤ法、ＰＶＤ法を用いてスコアライン２１の溝内にＤＬＣを蒸着し、次いで、マスキングシートをフェース面から剥がすことによって溝内のみにＤＬＣを設けることができる。他の方法としては、マスキングシートを用いることなくフェース面全面にＤＬＣを蒸着しておき、その後にフェース面を削り取ることで、スコアライン２１の溝内のみにＤＬＤを残す手法もある。本発明における撥水性被膜２５は、スコアライン２１の溝内のみに設けられ、溝を除くフェース面２０には撥水性膜が存在しないようになっている。なお、ＤＬＣ膜の好ましい膜厚は、０．１μmから１０μmである。０．１μm未満では期待する滑り防止効果が得られず、１０μmを超えると製造工程に時間がかかるとともにコストが嵩む一方で、滑り防止を達成するには１０μmで十分だからである。
【００１３】
以下、本発明の具体的実施例を比較例と共に説明する。
[実施例１]
溝幅０．７３ｍｍ、溝深さ０．４３ｍｍのスコアラインを有するフェース面に、当該スコアラインに対応したスリット状の隙間を有するマスキングシートを貼付し、ＣＶＤ法によりダイヤモンド状カーボン膜（撥水性被膜）を蒸着した。その後、マスキングシートをフェース面から剥がすことにより、スコアラインの溝内のみに膜厚１．０μmのダイヤモンド状カーボン被膜を形成した。
上記フェース面を前面側に取り付けてヘッドを形成した後、これにシャフトに連結してロフト角３４度のアイアンゴルフクラブを作製した。
上記アイアンゴルフクラブをロボットに取り付け、ヘッドスピード３７ｍ／ｓで打撃試験を行った。この打撃試験は、スプレーによりフェース面に水を噴霧したものと、水の噴霧をしていないものの双方で各５回行い、それらの平均を比較することによって行った。
その結果、前者のバックスピン量の平均と後者のバックスピン量の平均は、それぞれ、６０１８ｒｐｍ、６１０３ｒｐｍで、双方に大きな差は認められなかった。
【００１４】
[比較例１]
実施例１と同様のヘッドを用い、ＣＶＤ法により、各溝間のフェース面部分にも膜厚１．０μmのダイヤモンド状カーボン膜が形成された、実施例１と同様のアイアンゴルフクラブを作製した。
実施例１と同様にスプレーで水をフェース面に噴霧したものと、水の噴霧をしていないものの双方で打撃試験を５回行い、それらの平均を求めた。
その結果、水を噴霧したものと、水を噴霧していないもののバックスピン量の平均は、それぞれ、５６３０ｒｐｍ、５７７４ｒｐｍであった。
【００１５】
以上より、本発明によれば、フェース面に雨水が付着しても、その性能に実質的な変化がないことが認められる。これは、フェース面において、溝の内外に水が付着していても、ダイヤモンド状カーボン膜の撥水性によってフェース面の領域から飛散して水気がない状態で打撃することができたことが推認できる。
この一方、比較例は、水気がない状態で打撃できたものの、溝間に存在するダイヤモンド状カーボン膜上をボールが滑ってしまい、期待するバックスピン量が得られなかったものと推認できる。
従って、上記実施例、比較例より、撥水性膜をスコアラインの溝内のみに設けることの有用性が実証される。
【００１６】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００１７】
例えば、前記実施形態では、ダイヤモンド状カーボン膜２５を溝内の全域に設けたが、少なくとも、スイートエリアの領域における溝内に上記カーボン膜を設けることでもよい。要するに溝内に水が入り込んでも、その撥水性が担保されるようになっていれば足りる。
また、スコアラインの数、長さは設計的事項であって何ら制約されるものでなく、スコアラインは、左右方向に断続的なものであってもよい。
更に、撥水性被膜は、撥水性を発揮し得る限り、ダイヤモンド状カーボン膜以外の材料の使用を妨げない。ダイヤモンド状カーボン膜以外の材料としては、テフロン（登録商標）コーティングを例示することができる。
また、本発明は、アイアンゴルフクラブに限らず、いわゆるウッドタイプのゴルフクラブやユーティリティと称されるゴルフクラブ、更にはパターへの適用も可能である。
【符号の説明】
【００１８】
１０…ゴルフクラブ、１１…ヘッド、２０…フェース面、２１…スコアライン、２５…撥水性被膜
【図１】
2015171475.tif 000003
【図２】
2015171475.tif 000004